(57)【要約】      （修正有）【課題】様々な寸法の電子素子用放熱器に結合可能なアジャスタブル固定フレームを提供する。【解決手段】アジャスタブル固定フレーム１は、搭載台１０、複数の位置決め部材２０及び複数の固定部材３０を含む。搭載台は、複数の結合溝１２が設けられた板体１１を含み、結合溝は、孔１２１及び長溝１２２を含む。長溝の少なくとも一方の側部には、位置決め凹溝１２２１が設けられる。位置決め部材２０は、位置決め板２１及び１対の弾性アーム２２を含み、位置決め板には貫通孔２１１が設けられ、弾性アームは位置決め凸部２２１を有する。固定部材３０は、貫通孔２１１及び孔１２１を貫通し、結合溝１２中に貫設される。固定部材を駆動して位置決め凸部２２１を任意の位置決め凹溝１２２１上に係合することにより、固定フレームを様々な寸法の放熱器に結合できる。【選択図】図３
0003197581.tif 000002
【実用新案登録請求の範囲】
【請求項１】
放熱器を固定して電子素子に対して放熱を行うために用いられる放熱器用のアジャスタブル固定フレームであって、
前記アジャスタブル固定フレームは、搭載台、複数の位置決め部材及び複数の固定部材を備え、  
前記搭載台は、板体を有し、前記板体には、複数の結合溝が設けられ、前記各結合溝は、孔と、前記孔に連通する長溝と、を有し、前記長溝の少なくとも一方の側部の前記孔から離れた一方の端部には、少なくとも１つの位置決め凹溝が設けられ、
前記複数の位置決め部材の各位置決め部材は、位置決め板と、前記位置決め板に接続される１対の弾性アームと、を有し、前記位置決め板には、前記孔に対向する貫通孔が設けられ、前記各弾性アームは、位置決め凸部を有し、
前記複数の固定部材の各固定部材は、前記貫通孔及び前記孔を貫通し、前記各結合溝中に貫設され、前記各固定部材を駆動し、前記孔から前記複数の位置決め凹溝の方向に移動させることにより、前記弾性アームの位置決め凸部が任意の前記位置決め凹溝上に係合されることを特徴とする放熱器用のアジャスタブル固定フレーム。
【請求項２】
前記板体は、矩形板であり、前記複数の結合溝は、前記板体の四隅に設置されることを特徴とする請求項１に記載の放熱器用のアジャスタブル固定フレーム。
【請求項３】
前記長溝の対向する両側には、複数の位置決め凹溝がそれぞれ設けられることを特徴とする請求項１に記載の放熱器用のアジャスタブル固定フレーム。
【請求項４】
前記複数の位置決め凹溝は、直線に配列される上、波浪状を呈することを特徴とする請求項３に記載の放熱器用のアジャスタブル固定フレーム。
【請求項５】
前記固定部材は、頭部と、前記頭部に接続される頸部と、を有し、前記固定部材は、前記頭部が前記貫通孔及び前記孔を貫通し、前記頸部が前記長溝中を移動することを特徴とする請求項１に記載の放熱器用のアジャスタブル固定フレーム。
【請求項６】
複数の螺柱を有する固定フレームをさらに有し、前記各固定部材は、前記頸部に接続されるネジ山部をさらに有し、前記各固定部材は、前記ネジ山部によって前記各螺柱に螺着固定されて前記固定フレーム上に固定されることを特徴とする請求項５に記載の放熱器用のアジャスタブル固定フレーム。
【請求項７】
前記位置決め部材は、係合片をさらに有し、前記係合片は、前記貫通孔の一方の側部に位置する上、前記位置決め板の表面から突出し、前記係合片が前記孔の一方の側部に当接されることにより、前記固定部材は、前記孔中に貫設されることを特徴とする請求項１に記載の放熱器用のアジャスタブル固定フレーム。
【請求項８】
前記各弾性アームは、前記位置決め板に接続される固定段と、前記固定段から延伸する湾曲段と、を有し、前記湾曲段は、前記固定段及び前記位置決め凸部に接続されることを特徴とする請求項１に記載の放熱器用のアジャスタブル固定フレーム。
【請求項９】
前記位置決め凸部は、鉤状を呈し、前記湾曲段の湾曲方向は、前記位置決め凸部の湾曲方向と反対であることを特徴とする請求項１に記載の放熱器用のアジャスタブル固定フレーム。
【請求項１０】
支持板をさらに有し、前記支持板は、前記位置決め部材の底面に設置され、前記位置決め板の貫通孔に対向する通孔が設けられ、前記固定部材は、前記通孔、前記貫通孔及び前記孔を順番に貫通し、前記各結合溝中に貫設されることを特徴とする請求項１に記載の放熱器用のアジャスタブル固定フレーム。
【考案の詳細な説明】
【技術分野】
【０００１】
本考案は、放熱器用の固定フレームに関し、特に、固定部材の結合位置を調整することができる固定フレームに関する。
【背景技術】
【０００２】
電子製品の機能及び性能が大幅に向上するにつれ、電子素子の演算速度も高まり、発生する熱も大幅に増加している。このため、現在の電子素子には、放熱器が組み合わされて作動温度が制御されることにより、正常な運転が維持されている。
【０００３】
現在の放熱器は、電子素子の寸法に合わせてそれぞれ寸法の異なる固定フレームを準備する必要がある。固定フレームは、放熱器を固定し、電子素子に対して放熱を行うために用いられる。しかし、様々な寸法の固定フレームを準備して使用することは、組み立てに時間及び手間がかかる上、製造コストが高くなる。
【０００４】
上述の問題に鑑み、本考案の考案者は、研究を重ね、上述の欠点を合理的且つ有効に改善することができる本考案を案出した。
【先行技術文献】
【特許文献】
【０００５】
【特許文献１】登録実用新案第３１７２１８４号公報
【考案の概要】
【考案が解決しようとする課題】
【０００６】
本考案の第１の目的は、放熱器を固定する際、固定部材の位置を調整して放熱器に結合することにより、様々な寸法の電子素子に対して放熱を行うことができる放熱器用のアジャスタブル固定フレームを提供することにある。
本考案の第２の目的は、固定部材を結合する際の固定位置を簡単に調整することができるため、装着時の利便性を高めることができる放熱器用のアジャスタブル固定フレームを提供することにある。
本考案の第３の目的は、位置決め部材の表面から突出した係合片が設けられ、固定部材が結合溝に貫設される際、係合片が孔の一方の側部に当接されることにより、固定部材が孔中から落下しないため、固定部材が装着又は位置調整する過程に落下又は遺失するのを防止することができる放熱器用のアジャスタブル固定フレームを提供することにある。
【課題を解決するための手段】
【０００７】
上述の課題を解決するために、本考案は、放熱器用のアジャスタブル固定フレームを提供するものである。本考案の放熱器用のアジャスタブル固定フレームは、放熱器を固定し、電子素子に対して放熱を行うために用いられる。本考案のアジャスタブル固定フレームは、搭載台、複数の位置決め部材及び複数の固定部材を含む。搭載台は、板体を含む。板体には、複数の結合溝が設けられる。各結合溝は、孔と、孔に連通する長溝と、を含む。長溝の少なくとも一方の側部の孔から離れた一方の端部には、少なくとも１つの位置決め凹溝が設けられる。各位置決め部材は、位置決め板と、位置決め板に接続される１対の弾性アームと、を含む。位置決め板には、孔に対向する貫通孔が設けられる。各弾性アームは、位置決め凸部を有する。各固定部材は、貫通孔及び孔を貫通する上、各結合溝中に貫設される。各固定部材を駆動し、孔から位置決め凹溝の方向に移動させることにより、弾性アームの位置決め凸部が任意の位置決め凹溝上に係合される。
【考案の効果】
【０００８】
本考案のアジャスタブル固定フレームは、搭載台と、搭載台上に結合される複数の位置決め部材と、複数の固定部材と、を含む。固定部材の位置決め位置を調整することによって搭載台上における固定位置を変更することができるため、電子素子の寸法及び固定位置に応じて固定部材の固定位置を変更することにより、搭載台を様々な寸法の電子素子上に結合させることができる。また、本考案の固定部材は、前後に移動させることによって結合位置を調整することができる。また、位置決め部材の係合片が孔の一方の側部に当接されることにより、固定部材が孔中から落下しないため、固定部材が装着又は位置調整する過程に落下又は遺失するのを防止することができ、装着時の利便性を高めることができる。
【図面の簡単な説明】
【０００９】
【図１】本考案の放熱器用のアジャスタブル固定フレームの一方の表面を示す斜視図である。
【図２】本考案の放熱器用のアジャスタブル固定フレームの他方の表面を示す斜視図である。
【図３】本考案の放熱器用のアジャスタブル固定フレームの一部を示す分解斜視図である。
【図４】本考案の放熱器用のアジャスタブル固定フレームの一部を示す斜視図である。
【図５】本考案の放熱器用のアジャスタブル固定フレームの一部を示す平面図である。
【図６】本考案の放熱器用のアジャスタブル固定フレームの一部を示す断面図である。
【図７】本考案の放熱器用のアジャスタブル固定フレームの固定部材の位置を変更した状態を示す平面図である。
【図８】本考案の放熱器用のアジャスタブル固定フレームを使用する状態を示す分解斜視図である。
【考案を実施するための形態】
【００１０】
本考案の技術内容を図面に沿って詳細に説明するが、図面は、参考及び説明のために提供するものであり、本考案を限定するものではない。
【００１１】
図１?図４を参照する。図１は、本考案の放熱器用のアジャスタブル固定フレームの一方の表面を示す斜視図である。図２は、本考案の放熱器用のアジャスタブル固定フレームの他方の表面を示す斜視図である。図３は、本考案の放熱器用のアジャスタブル固定フレームの一部を示す分解斜視図である。図４は、本考案の放熱器用のアジャスタブル固定フレームの一部を示す斜視図である。本考案のアジャスタブル固定フレーム１は、搭載台１０、複数の位置決め部材２０及び複数の固定部材３０を含む。複数の位置決め部材２０及び複数の固定部材３０は、搭載台１０上に結合される。搭載台１０は、複数の固定部材３０によって固定位置に結合される。複数の固定部材３０は、複数の位置決め部材２０の位置決め位置を調整することにより、搭載台１０における固定位置を変更することができる。本実施形態中、固定部材３０は、螺着部材であるが、これのみに限定されない。
【００１２】
搭載台１０は、板体１１を含む。板体１１には、複数の結合溝１２が設けられる。各結合溝１２は、孔１２１と、孔１２１に連通する長溝１２２と、を含む。長溝１２２の少なくとも一方の側部の孔１２１から離れた一方の端部には、少なくとも１つの位置決め凹溝１２２１が設けられる。好ましくは、長溝１２２の対向する両側に複数の位置決め凹溝１２２１が設けられる。複数の位置決め凹溝１２２１は、直線に配列される上、波浪状を呈するが、これのみに限定されない。
【００１３】
本考案の一実施形態中、板体１１は、矩形板である。複数の結合溝１２は、板体１１の四隅にそれぞれ設置される。複数の位置決め部材２０及び複数の固定部材３０は、各結合溝１２上にそれぞれ結合される。
【００１４】
図３に示すように、各位置決め部材２０は、位置決め板２１と、位置決め板２１に接続される１対の弾性アーム２２と、を含む。位置決め板２１には、孔１２１に対向する貫通孔２１１が設けられる。また、各弾性アーム２２は、位置決め凸部２２１を有する。詳細に述べると、各弾性アーム２２は、位置決め板２１に接続される固定段２２２と、固定段２２２から延伸する湾曲段２２３と、を含む。湾曲段２２３は、固定段２２２及び位置決め凸部２２１に接続される。また、位置決め凸部２２１は、鉤状を呈する。また、湾曲段２２３の湾曲方向は、位置決め凸部２２１の湾曲方向と反対である。これにより、弾性アーム２２は、好適な弾性変形力を有する。
【００１５】
各固定部材３０は、貫通孔２１１及び孔１２１を貫通し、各結合溝１２中に貫設される。その後、各固定部材３０を駆動し、孔１２１から複数の位置決め凹溝１２２１の方向に移動させることにより、弾性アーム２２の位置決め凸部２２１が任意の位置決め凹溝１２２１上に係合される。
【００１６】
本実施形態中、各固定部材３０は、頭部３１と、頭部３１に接続される頸部３２と、を含む。頭部３１の寸法は、孔１２１の孔径より若干小さい上、長溝１２２の幅より大きい。これにより、固定部材３０の頭部３１を貫通孔２１１及び孔１２１に貫通することができる。また、頸部３２により、長溝１２２中を移動させることができる。また、固定部材３０の搭載台１０上における固定位置は、１対の弾性アーム２２の位置決め凸部２２１を位置決め凹溝１２２１上に係合する位置を変更することによって調整することができる。
【００１７】
好ましくは、アジャスタブル固定フレーム１は、支持板４０をさらに含む。支持板４０は、位置決め部材２０の底面に設置される。また、支持板４０には、位置決め板２１の貫通孔２１１に対向する通孔４１が設けられる。固定部材３０は、通孔４１、貫通孔２１１及び孔１２１を順番に貫通し、結合溝１２中に貫設される。本考案の一実施形態中、位置決め板２１と支持板４０との間は、接着方式によって結合されるが、これのみに限定されない。
【００１８】
図５?図７を参照する。図５は、本考案の放熱器用のアジャスタブル固定フレームの一部を示す平面図である。図６は、本考案の放熱器用のアジャスタブル固定フレームの一部を示す断面図である。図７は、本考案の放熱器用のアジャスタブル固定フレームの固定部材の位置を変更した状態を示す平面図である。本実施形態中、各位置決め部材２０は、係合片２３をさらに含む。係合片２３は、貫通孔２１１の一方の側部に位置する上、位置決め板２１の表面から突出する。各固定部材３０が貫通孔２１１及び孔１２１を貫通して各結合溝１２中に貫設される際、係合片２３が孔１２１の一方の側部に当接されることにより、固定部材３０が孔１２１中に貫設される。これにより、固定部材３０は、孔１２１中から脱落せず、固定部材３０が装着又は位置調整する過程に落下又は遺失するのを防止することができる。
【００１９】
図８を参照する。図８は、本考案の放熱器用のアジャスタブル固定フレームを使用する状態を示す分解斜視図である。本考案の放熱器用のアジャスタブル固定フレーム１は、放熱器２を固定し、電子素子３に対して放熱を行うために用いられる。アジャスタブル固定フレーム１を使用する際、まず、複数の位置決め部材２０及び複数の固定部材３０を搭載台１０の結合溝１２に結合する。次に、搭載台１０を電子素子に結合する。本実施形態中、電子素子３は、回路基板４上に設置されるＣＰＵである。回路基板４の電子素子３の周囲には、複数の開孔５が設けられる。また、アジャスタブル固定フレーム１は、複数の螺柱５１を有する固定フレーム５０をさらに含む。放熱器２は、固定フレーム５０上に結合される。各固定部材３０は、頸部３２に接続されるネジ山部３３をさらに含む（図３参照）。
【００２０】
アジャスタブル固定フレーム１を回路基板４に固定する際、複数の開孔５の位置に基づいて複数の固定部材３０の位置を調整する必要がある。このため、１対の弾性アーム２２の位置決め凸部２２１を位置決め凹溝１２２１上に係合することによって各固定部材３０の位置を調整する（図３及び図４参照）。最後に、各固定部材３０のネジ山部３３を各螺柱５１に固定し、固定フレーム５０上に固定する。放熱器２は、アジャスタブル固定フレーム１によって回路基板４の所定位置（開孔５）に結合され、電子素子３に対して放熱を行う。
【００２１】
以上の説明は、本考案の好適な実施形態を示すものであり、本考案の範囲を限定するものではなく、同等効果である変更は、何れも本考案に含まれる。
【符号の説明】
【００２２】
１  アジャスタブル固定フレーム
２  放熱器
３  電子素子
４  回路基板
５  開孔
１０  搭載台
１１  板体
１２  結合溝
１２１  孔
１２２  長溝
１２２１  位置決め凹溝
２０  位置決め部材
２１  位置決め板
２１１  貫通孔
２２  弾性アーム
２２１  位置決め凸部
２２２  固定段
２２３  湾曲段
２３  係合片
３０  固定部材
３１  頭部
３２  頸部
３３  ネジ山部
４０  支持板
４１  通孔
５０  固定フレーム
５１  螺柱
【図１】
0003197581.tif 000003
【図２】
0003197581.tif 000004
【図３】
0003197581.tif 000005
【図４】
0003197581.tif 000006
【図５】
0003197581.tif 000007
【図６】
0003197581.tif 000008
【図７】
0003197581.tif 000009
【図８】
0003197581.tif 000010
【手続補正書】
【提出日】平成27年3月22日(2015.3.22)
【手続補正１】
【補正対象書類名】実用新案登録請求の範囲
【補正対象項目名】請求項９
【補正方法】変更
【補正の内容】
【請求項９】
前記位置決め凸部は、鉤状を呈し、前記湾曲段の湾曲方向は、前記位置決め凸部の湾曲方向と反対であることを特徴とする請求項８に記載の放熱器用のアジャスタブル固定フレーム。